(57)【特許請求の範囲】
【請求項１】
薬事承認された処理機能を実現する第１処理部と、
アプリケーションソフトウェアをダウンロード可能とし、当該アプリケーションソフトウェアに基づく処理機能を実現する第２処理部と、
前記第１処理部および前記第２処理部を収容する筐体とを備え、
前記第１処理部は、第１表示部を備え、
前記第２処理部は、第２表示部を備え、前記第１処理部にデータを受渡し不能に構成され、
前記第１表示部および前記第２表示部は、前記筐体に支持されていることを特徴とする医療機器。
【請求項２】
前記第１処理部は、当該第１処理部を制御する第１制御部を備え、
前記第２処理部は、当該第２処理部を制御する第２制御部を備え、
前記第１制御部と前記第２制御部とが別個のハードウェアで構成されていることを特徴とする請求項１に記載の医療機器。
【請求項３】
前記第１処理部は、医療データを測定する測定部を備え、前記医療データを前記第２処理部に受渡し可能に構成され、
前記第２処理部は、前記医療データを用いて前記アプリケーションソフトウェアに基づく処理機能を実現することを特徴とする請求項１または請求項２に記載の医療機器。
【請求項４】
前記第１処理部および前記第２処理部からアクセス可能に設けられ、前記第１処理部で処理されたデータを保存するデータ保持部を備えていることを特徴とする請求項１から請求項３の何れか１項に記載の医療機器。
【発明の詳細な説明】
【技術分野】
【０００１】
本発明は、医療機器に関する。
【背景技術】
【０００２】
従来、記憶されたソフトウェアに基づいてデータ処理を行う医療機器が知られている（例えば、特許文献１参照）。
特許文献１に記載の医療機器は、電源オフ操作が行われている場合、表示部に電源オフ操作中である旨の表示を開始し、その後も電源オフ操作が所定時間継続されると、電源がオフされるように構成されている。
【先行技術文献】
【特許文献】
【０００３】
【特許文献１】特許第５５３６５８７号公報
【発明の概要】
【発明が解決しようとする課題】
【０００４】
医療機器のうち、例えば、女性用体温計では、ユーザがアプリケーションソフトウェアを開発できるようにオープン化した方が、ユーザに多様なサービスを提供できる可能性がある。しかしながら、特許文献１に記載されたような従来の医療機器は、薬事承認された処理機能が損なわれないように、外部からアプリケーションソフトウェアをダウンロードできないようになっている。このため、ユーザに多様なサービスを提供することができないという問題がある。
【０００５】
本発明の目的は、薬事承認された処理機能を保障しつつ、アプリケーションソフトウェアをダウンロードでき、多様なサービスを提供できる医療機器を提供することにある。
【課題を解決するための手段】
【０００６】
本発明の医療機器は、薬事承認された処理機能を実現する第１処理部と、アプリケーションソフトウェアをダウンロード可能とし、当該アプリケーションソフトウェアに基づく処理機能を実現する第２処理部と、前記第１処理部および前記第２処理部を収容する筐体とを備え、前記第１処理部は、第１表示部を備え、前記第２処理部は、第２表示部を備え、前記第１処理部にデータを受渡し不能に構成され、前記第１表示部および前記第２表示部は、前記筐体に支持されていることを特徴とする。
【０００７】
本発明によれば、アプリケーションソフトウェアに基づく処理機能を実現する第２処理部が、薬事承認された処理機能を実現する第１処理部にデータを受渡し不能に構成されているため、第２処理部のアプリケーションソフトウェアが第１処理部のソフトウェアの動作に影響を与えてしまうことを防止できる。従って、薬事承認された処理機能を保障しつつ、アプリケーションソフトウェアをダウンロードすることができるので、ユーザに多様なサービスを提供することができる。
【０００８】
本発明の医療機器において、前記第１処理部および前記第２処理部は、別個のハードウェアで構成されていることが好ましい。
【０００９】
本発明によれば、第１処理部と第２処理部とが別個のハードウェアで構成されているため、第２処理部のアプリケーションソフトウェアが第１処理部のソフトウェアの動作に影響を与えてしまうことをより確実に防止することができる。
【００１０】
本発明の医療機器において、前記第１処理部は、当該第１処理部を制御する第１制御部を備え、前記第２処理部は、当該第２処理部を制御する第２制御部を備え、前記第１制御部と前記第２制御部とが別個のハードウェアで構成されていることが好ましい。
【００１１】
本発明によれば、第１処理部および第２処理部のうち、第１制御部と第２制御部とが別個のハードウェアで構成されているため、簡易な構成で第２処理部から第１処理部にデータ受渡しが行われないようにすることができる。
【００１２】
本発明の医療機器において、前記第１処理部は、医療データを測定する測定部を備え、前記医療データを前記第２処理部に受渡し可能に構成され、前記第２処理部は、前記医療データを用いて前記アプリケーションソフトウェアに基づく処理機能を実現することが好ましい。
【００１３】
本発明によれば、アプリケーションソフトウェアに基づく処理が医療データを用いて行われるため、医療データを活用した多様なサービスを提供することができる。
【００１４】
本発明の医療機器は、前記第１処理部および前記第２処理部からアクセス可能に設けられ、前記第１処理部で処理されたデータを保存するデータ保持部を備えていることが好ましい。
【００１５】
本発明によれば、第１処理部からデータ保持部を介して第２処理部にデータを受け渡すことができるため、第２処理部のソフトウェアが第１処理部のソフトウェアの動作に影響を与えることをより確実に防止することができる。
【図面の簡単な説明】
【００１６】
【図１】本発明の第１実施形態に係る医療アプリケーション提供システムの全体構成図。
【図２】第１実施形態に係る医療機器の平面図。
【図３】図２の医療機器のブロック図。
【図４】図２の医療機器の処理を示すフローチャート。
【図５】本発明の第２実施形態に係る医療機器のブロック図。
【図６】図５の医療機器の処理を示すフローチャート。
【発明を実施するための形態】
【００１７】
以下、本発明の各実施形態を図面に基づいて説明する。
なお、第２実施形態以降において、第１実施形態で説明する構成部材と同じ構成部材および同様な機能を有する構成部材には、第１実施形態の構成部材と同じ符号を付し、それらの説明を省略または簡略化する。
【００１８】
［第１実施形態］
図１において、医療アプリケーション提供システム１０は、サーバ２０、複数のクライアント端末３０および医療機器としての体温計４０を備えている。
サーバ２０は、体温計４０にダウンロードされるアプリケーションソフトを記憶するように構成されている。
クライアント端末３０は、アプリケーションソフトを開発する開発ユーザや、当該アプリケーションソフトをダウンロードして利用する一般ユーザに使用されるものであり、一般回線や専用回線を介してサーバ２０と通信可能に構成されている。開発ユーザは、開示されたＡＰＩ（Application Programming Interface）を利用して開発したアプリケーションソフトを、クライアント端末３０からサーバ２０にアップロードできるようになっている。
体温計４０は、クライアント端末３０と無線や有線での通信が可能に構成されている。一般ユーザは、自身のクライアント端末３０を介して、サーバ２０から好みのアプリケーションソフトを体温計４０にダウンロードできるようになっている。
【００１９】
図２は、体温計４０の平面図である。
図２において、体温計４０は、筐体４１、キャップ４２、第１操作部５１、第１表示部５２、第２操作部６１および第２表示部６２を備えている。
筐体４１は、キャップ４２、第１操作部５１、第１表示部５２、第２操作部６１および第２表示部６２を支持するとともに、内部に各種構成を収容している。
キャップ４２は、ステンレス等の金属で構成され、後述する測定部５３（図３参照）に接触した状態で当該測定部５３を覆っている。
【００２０】
第１操作部５１は、押圧可能に構成され、体温計４０の電源をオンまたはオフする操作に用いられる。第１操作部５１は、第２表示部６２に表示された各種選択対象を決定したり、当該選択対象の設定値を決定したりする操作にも用いられる。
第１表示部５２は、キャラクターやアイコン等の図形、文字、数字等を表示するためのものであり、例えば、液晶などを用いた表示パネルにより構成される。
【００２１】
第２操作部６１は、第２表示部６２に表示されたカーソルを移動させる操作を行う左ボタン６１１および右ボタン６１２を備えている。また、第２操作部６１は、カーソルの移動先の選択対象の設定値を変更する操作を行う上ボタン６１３および下ボタン６１４を備えている。
第２表示部６２は、体温計４０の各種メニューやカーソルを表示したり、アプリケーションソフトウェアに基づく処理の結果を表示したりするためのもので、第１表示部５２と同様のハードウェアで構成することができる。
【００２２】
図３は、体温計４０のブロック図である。
図３において、体温計４０は、それぞれ別個のハードウェアで構成された第１処理部５０、第２処理部６０、データ保持部７０および電源部８０を備えている。
【００２３】
第１処理部５０は、薬事承認された処理機能（仕様）を実現する部分である。
第１処理部５０は、前述した第１操作部５１および第１表示部５２を備えるとともに、測定部５３および第１制御部５４を備えている。
第１操作部５１、第１表示部５２、測定部５３および第１制御部５４は、別個のハードウェアで構成されている。
測定部５３は、医療データとしての体温を測定するものであり、キャップ４２に伝わる熱の温度を測定可能に構成されている。測定部５３としては、例えば、サーミスタ、熱電対、測温抵抗体が利用できる。
【００２４】
第１制御部５４は、例えば、ＣＰＵ（Central Processing Unit）等の情報処理装置であり、第１処理部５０を制御するとともに、測定部５３の測定データを第２処理部６０に受渡し可能に構成されている。
第１制御部５４は、温度予測部５４１、表示処理部５４２、電源処理部５４３およびデータ書込部５４４を備えている。
温度予測部５４１は、測定部５３の測定値に基づいて予測体温を演算する。温度予測部５４１は、薬事承認された処理機能を保障するように構成され、例えば、予測体温の最大許容誤差が標準温度計に対して所定の範囲内となるような処理を行う。
表示処理部５４２は、第１表示部５２の表示処理を行う。表示処理部５４２は、薬事承認された処理機能を保障するように構成され、例えば、第１表示部５２に体温を４桁で表示したり、予測体温が４２．００度を超えると第１表示部５２にゼロを表示したりする処理を行う。
電源処理部５４３は、電源部８０からの電源の供給および遮断等の処理を行う。
データ書込部５４４は、データ保持部７０にデータを書込可能に構成されている。
【００２５】
第２処理部６０は、アプリケーションソフトウェアをダウンロード可能とし、当該アプリケーションソフトウェアに基づく処理機能を実現する部分である。
第２処理部６０は、前述した第２操作部６１および第２表示部６２を備えるとともに、通信部６３および第２制御部６４を備え、第１処理部５０にデータを受渡し不能に構成されている。
【００２６】
第２操作部６１、第２表示部６２、通信部６３および第２制御部６４は、別個のハードウェアで構成されている。
通信部６３は、クライアント端末３０と無線や有線での通信が可能に構成されている。
第２制御部６４は、データ読込部６４１を備え、当該データ読込部６４１でデータ保持部７０からデータを読み込むとともに、第２処理部６０を制御するように構成されている。第２制御部６４としては、例えば、第１制御部５４とは別個に構成され、第１制御部５４とはコアが分かれたＣＰＵが利用できる。
【００２７】
データ保持部７０は、例えば、ＲＡＭ（Random Access Memory）等の記憶媒体で構成され、第１処理部５０および第２処理部６０からアクセス可能とされている。
電源部８０は、体温計４０の各部に電源を供給可能に構成されている。電源部８０としては、例えば、ボタン電池が利用できる。
【００２８】
以上の体温計４０において、薬事承認された処理機能およびアプリケーションソフトウェアに基づく処理機能を実現する手順について、図４に基づいて説明する。
【００２９】
先ず、第１処理部５０における手順について説明する。
第１操作部５１により電源オン操作が行われると、第１制御部５４は、電源部８０から電源を供給する処理を行う（ステップＳ１）。次いで、第１制御部５４は、体温の測定処理を行う（ステップＳ２）。具体的に、第１制御部５４は、測定部５３の測定値を用いて、所定の予測式により予測体温を演算する。体温の測定処理が終わると、第１制御部５４は、予測体温を第１表示部５２に表示させる処理を行うとともに（ステップＳ３）、予測体温をデータ保持部７０に保存する（ステップＳ４）。その後、第１制御部５４は、第１操作部５１による電源オフ操作が行われたか否かを判定する（ステップＳ５）。第１制御部５４は、ステップＳ５において電源オフ操作が行われていないと判断した場合、再びステップＳ２の処理を行い、電源オフ操作が行われたと判断した場合、電源の供給を停止する処理を行う（ステップＳ６）。
【００３０】
次に、第２処理部６０により、アプリケーションソフトウェアに基づく処理機能を実現する手順について説明する。なお、本実施形態の場合、体温計４０には、測定された体温（予測体温）に応じて、図２の第２表示部６２に示すキャラクターを成長させるアプリケーションソフトウェアがダウンロードされている。
図４において、ステップＳ１の後、第２制御部６４は、データ保持部７０に保存されているデータを読み込む（ステップＳ７）。次いで、第２制御部６４は、アプリケーションソフトウェアによる処理を行い（ステップＳ８）、その処理結果を第２表示部６２に表示させる（ステップＳ９）。すなわち、第２制御部６４は、キャラクターを体温に応じて成長させる処理を行い、当該キャラクターを第２表示部６２に表示させる。その後、第２制御部６４は、ステップＳ７に戻って処理を続ける。
【００３１】
以上のような実施形態によれば、次のような効果がある。
すなわち、アプリケーションソフトウェアに基づく処理機能を実現する第２処理部６０が、薬事承認された処理機能を実現する第１処理部５０にデータを受渡し不能に構成されているため、第２処理部６０のアプリケーションソフトウェアが第１処理部５０のソフトウェアの動作に影響を与えてしまうことを防止できる。従って、薬事承認された処理機能を保障しつつ、アプリケーションソフトウェアをダウンロードすることができるので、ユーザに多様なサービスを提供することができる。
【００３２】
また、第１処理部５０と第２処理部６０とが別個のハードウェアで構成されているため、第２処理部６０のアプリケーションソフトウェアが第１処理部５０のソフトウェアの動作に影響を与えてしまうことをより確実に防止することができる。
さらに、第２処理部６０がハングアップしたり、起動に失敗したりしても、第２処理部６０は、正常に動作することができるので、薬事承認された処理機能を保障することができる。
【００３３】
また、第１処理部５０および第２処理部６０のうち、第１制御部５４と第２制御部６４とが別個のハードウェアで構成されているため、簡易な構成で第２処理部６０から第１処理部５０にデータ受渡しが行われないようにすることができる。
【００３４】
また、アプリケーションソフトウェアに基づく処理が医療データを用いて行われるため、医療データを活用した多様なサービスを提供することができる。
【００３５】
また、第１処理部５０からデータ保持部７０を介して第２処理部６０にデータを受け渡すことができるため、第２処理部６０のソフトウェアが第１処理部５０のソフトウェアの動作に影響を与えることをより確実に防止することができる。
【００３６】
［第２実施形態］
本発明の第２実施形態に係る体温計４０Ａは、図５に示すように、データ保持部７０を備えていない点、および第１制御部５４Ａから第２制御部６４Ａにデータを直接送信する点が、第１実施形態と相違する。
【００３７】
第１制御部５４Ａは、温度予測部５４１、表示処理部５４２、電源処理部５４３およびデータ送信部５４５を備えている。
データ送信部５４５は、データ保持部７０にデータ送信を行うように構成されている。
第２制御部６４Ａは、データ受信部６４２を備えている。
データ受信部６４２は、データ送信部５４５から送信されたデータを受信可能に構成されている。
【００３８】
以上の体温計４０Ａにおいて、薬事承認された処理機能およびアプリケーションソフトウェアに基づく処理機能を実現する手順について説明する。
図６において、ステップＳ１からステップＳ３までは、第１実施形態と同様の処理が行われる。ステップＳ３の後、第１制御部５４Ａのデータ送信部５４５は、第２制御部６４Ａに向けてデータを送信する（ステップＳ４Ａ）。ステップＳ４Ａの後は、第１実施形態と同様のステップＳ５およびステップＳ６が実施される。
【００３９】
一方、第２制御部６４Ａのデータ受信部６４２は、ステップＳ１の後、第１制御部５４Ａからのデータの受信待ち処理を行う（ステップＳ７Ａ）。データ受信部６４２が第１制御部５４Ａからデータを受信すると、第１実施形態と同様のステップＳ８およびステップＳ９が実施される。その後、第２制御部６４Ａは、ステップＳ７Ａに戻って処理を続ける。
【００４０】
以上のような実施形態によれば、第１実施形態と同様の効果がある。
また、体温計４０Ａは、データ保持部７０を備えていないため、体温計４０Ａの構造を簡素化することができる。
【００４１】
なお、本発明は前述の実施形態に限定されるものではなく、本発明の目的を達成できる範囲での変形、改良等は本発明に含まれる。
例えば、第１処理部５０および第２処理部６０は、少なくとも第１制御部５４、５４Ａと第２制御部６４、６４Ａとが別個のハードウェアで構成されていればよく、第１処理部５０と第２処理部６０とで、操作部や表示部を共用してもよい。
第１処理部５０および第２処理部６０は、内部に複数のコアを持つ１つのマルチコアプロセッサを備え、当該マルチコアプロセッサを第１制御部５４、５４Ａおよび第２制御部６４、６４Ａとしてもよい。この場合、第１制御部５４、５４Ａおよび第２制御部６４、６４Ａは、それぞれ異なる記憶媒体（メモリ）を使用してもよい。
第１処理部５０および第２処理部６０は、ソフトウェア構造上、第２処理部６０から第１処理部５０へのデータの受け渡しが行われないようにしてもよく、例えば、リアルタイムオペレーティングシステムを利用して優先度等を規定することにより、第２処理部６０から第１処理部５０へのデータの受け渡しができないようにしてもよい。
【００４２】
第１操作部５１および第２操作部６１は、タッチパネルや音声入力装置により構成されてもよい。
測定部５３は、サーモグラフィーや放射温度計等の非接触式のものであってもよい。この場合、測定部５３は、筐体４１から露出していてもよいし、筐体４１とは別体で設けられてもよい。
第１制御部５４、５４Ａは、測定部５３で測定された実際の温度を第２制御部６４、６４Ａに受渡しまたは送信したり、当該実際の温度を第１表示部５２に表示させたりしてもよい。
【００４３】
アプリケーションソフトウェアは、例えば、測定した体温の推移を独自のグラフで第２表示部６２に表示するものや、測定を行っていない場合に第２表示部６２のスクリーンセーバーを実施するものでもよい。また、アプリケーションソフトウェアは、第２操作部６１の操作により行える簡単なゲームや、ユーザが作成したキャラクター画像を第２表示部６２に表示するものでもよい。
【００４４】
医療機器は、薬事承認された機能を実施する処理を行う部分と、ダウンロードされたアプリケーションソフトウェアに基づく処理を行う部分とが分離されたものであれば、体温計４０に限られず、例えば、血圧計、医療用ポンプ、血糖値測定装置等の他の医療機器であってもよい。
【符号の説明】
【００４５】
４０、４０Ａ  体温計（医療機器）
５０          第１処理部
５３          測定部
５４、５４Ａ  第１制御部
６０          第２処理部
６４、６４Ａ  第２制御部
７０          データ保持部
【図１】
0006527731.tif 000002
【図２】
0006527731.tif 000003
【図３】
0006527731.tif 000004
【図４】
0006527731.tif 000005
【図５】
0006527731.tif 000006
【図６】
0006527731.tif 000007